(57)【特許請求の範囲】
【請求項１】
基地局及び複数の内線電話を収容する構内交換機と、コードレス電話機と、前記コードレス電話機との間で通信をする前記基地局とを有する事業所用ディジタルコードレスシステムにおいて、
前記コードレス電話機は、
複数キーを有するキー部と、
前記キー部の操作により入力されたダイヤル識別情報とダイヤル情報との対応関係を記憶するテーブルと、
着信があった時に、前記コードレス電話機の携帯者による前記キー部のキー操作に基づくダイヤル識別情報から、前記テーブルを検索して、該ダイヤル識別情報に対応するダイヤル情報を読み出すダイヤル情報読出手段と、
前記ダイヤル情報読出手段が読出した前記ダイヤル情報を前記基地局を通して前記構内交換機に送出する応答シーケンス処理手段とを具備し、
前記複数の内線電話の一つはそれぞれ識別番号に対応する複数の音声ガイダンスを記憶し、前記構内交換機より指示された識別番号に該当する音声ガイダンスを出力する音声メッセージシステムであり、
前記構内交換機は、前記ダイヤル情報を前記基地局から受信すると、該ダイヤル情報に前記音声メッセージシステムが該当する場合に、前記音声メッセージシステムと発信側とを接続するともに、前記ダイヤル情報に該当する識別番号を前記音声メッセージシステムに出力する事業所用ディジタルコードレスシステム。
【発明の詳細な説明】
【０００１】
【発明の属する技術分野】
本発明は、事業所用ディジタルコードレスシステムに関し、特に、コードレス電話機（ＰＳ）への着信時の応答方式に関する。
【０００２】
【従来の技術】
事業所内通信システムにおいて、「いつでも、どこでも、だれとでも通信できるシステム」を効率的かつ経済的に提供することが要求され、そのために事業所内の電話機に対してもコードレス化及び携帯化の要求の高まりにより、事業所内でコードレス電話機による通信を可能とする事業所内ディジタルコードレスシステムが提供されている。
【０００３】
事業所内コードレスシステムのＰＳは、在席、会議中、移動中等様々なケースで使用されるため、発呼者及びＰＳ使用者の状況に応じて、適当な応答を行うことが望まれる。従来、ＰＳ使用者は、着呼時に、発呼者の発呼番号を確認すると共に一旦応答し、保留キーを押下して、代わりに対応してくれる人にその呼を転送したり、「会議中のため後でかけ直して欲しい」、または、「後でこちらからかけなおす」等の会話を行い呼を切断していた。
【０００４】
【発明が解決しようとする課題】
以上のように、従来、ＰＳに着呼があったとき、ＰＳ使用者がでられない場合、まず、ＰＳ使用者が一旦保留キーを押下して、その後、転送先の内線電話番号をダイヤルして、その呼を転送したり、直接、発呼者と簡単な会話を行う必要があり、操作性が良くなかった。
【０００５】
また、音声メールに着信が転送されるように設定する（留守記録）ことも可能であるが、設定を解除しない限り、設定ＰＳに着信があった場合は、自動的に音声メールに着信が転送されるため、その間に重要な人からかかってきた場合に、応答できないという問題点があった。
【０００６】
本発明は、以上のことを鑑みてなされたものであり、ＰＳへの着信時に、相手番号により、簡易操作で様々な応答ができる事業所内コードレスシステムを提供することを目的とする。
【０００７】
【課題を解決するための手段】
図１は、本発明の原理図である。図１に示すように、本発明によれば、基地局２及び内線電話４を収容するＰＢＸ６と、ＰＳ８と、ＰＳ８との間で通信をする基地局２とを有する事業所用ディジタルコードレスシステムにおいて、ＰＳ８は、複数キー９を有するキー部１０と、ダイヤル識別情報とダイヤル情報との関係を記憶するテーブル１１と、複数キー９の中で所定の第１キーが押下された場合、又は所定の一連のキー入力操作が行われた場合にダイヤル識別情報入力可能状態になり、複数キー９の中で押下された１つの第２キーをダイヤル識別情報に対応づけるダイヤル識別情報入力手段１２と、複数キー９の中で押下された複数のキーをダイヤル情報に対応づけるダイヤル情報入力手段１３と、ダイヤル識別情報とダイヤル情報との関係をテーブル１１に登録する登録手段１４と、着信があった時に、複数キー９の中で第４キーが押下されると応答処理を行う応答手段１５と、着信があった時に、複数のキーの中で第４キー以外の第５キーが押下されたか否かを検出する押下検出手段１６と、押下検出手段１６により検出された第５キーに対応づけられるダイヤル識別情報に対応するダイヤル情報をテーブル１１より読み出すダイヤル情報読出手段１７と、押下検出手段１６により第５キーの押下が検出されると、ＢＳ２に応答メッセージを送出し、ＢＳ２より応答確認メッセージを受信した後にダイヤル情報読出手段１７が読出したダイヤル情報をＢＳ２に送出する応答シーケンス処理手段１８とを具備する。
【０００８】
以上のような構成によれば、ダイヤル識別情報入力手段１２は、第２キーが押下されると、ダイヤル識別情報に第２キーを対応づける。ダイヤル情報入力手段１３は、複数キー（例えば内線電話番号）が押下されるとこれらのキーをダイヤル情報に対応づける。登録手段１４は、ダイヤル識別情報とダイヤル情報の関係をテーブル１１に登録する。ＰＳ８に着呼があると、押下検出手段１６は、第５キーが押下されたかを検出する。ダイヤル情報読出手段１７は、第５キーに対応づけられるダイヤル情報識別情報に対応するダイヤル情報、例えば内線電話番号を読み出す。応答シーケンス処理手段１８は、ダイヤル情報をＢＳ２に送出する。
【０００９】
【発明の実施の形態】
第１実施形態
図２は、本発明の実施形態の事業所用ディジタルコードレスシステム構成図である。図２に示すように、事業所用ディジタルコードレスシステムは、ＰＢＸ２０、ＢＳ３８、内線電話３９及びＰＳ４０により構成される。
【００１０】
ＰＢＸ２０は、公衆網３２や図示しない専用線に接続され、公衆網３２や専用線等より着信があれば、内線番号で指示される着信端末である、内線電話３９やＰＳ４０を呼び出して発呼者の電話端末３４と着信端末との接続をし、ＰＳ４０や内線電話３９から発呼があれば、着信端末と発呼端末との接続をする。
【００１１】
ＰＢＸ２０は、ＳＷ(SWitch)２２、ＣＣ(Central Controller)２４、ＭＭ(Main Memory)２６、ＭＣ(Maintenance Console)２８、ＶＭＳ(Voice Message System)３０、ＴＫ(TrunK circuit)３１、ＢＳＬＣ(Base Station Line Circuit)３６及びＬＣ(Line Circuit)３７を有する。ＳＷ２２は、ＣＣ２４の制御に従って、入力回線（例えば、２Ｍｂｐｓ）の各タイムスロットを該当する出力回線のタイムスロットに出力する。
【００１２】
ＣＣ２４は、ＭＣ２８より入力された、収容する内線電話３９、ＰＳ４０等に対して呼制御をするための内線番号を含む情報、及び特番と特番の機能の実施に関する情報をＭＭ２６中の図示しない翻訳テーブルに記憶すること、ＰＳ４０の位置情報を登録すること、呼制御をすること、ＳＷ２２を制御すること、収容端末より特番が指定された場合に該当する機能を実施するようＶＭＳ３０に指示することの機能を有するプロセッサである。
【００１３】
上記特番は、自由に設定することが可能であるが、ＰＳ４０の着信応答に関わるものとして、例えば、次のものある。特番＝１８１が、「後でこちらからかけ直す」旨のメッセージを発呼者に出力するサービス、特番＝１８２が、「電話に出られないため、後でこちらからかけ直す」旨のメッセージを発呼者に出力するサービス、特番＝１８３が、「音声メールにメッセージを録音して欲しい」旨のメッセージを発呼者に出力し、発呼者のメッセージを録音するサービスである。
【００１４】
ＭＭ２６は、ＣＣ２４が実行するワークメモリであるＲＡＭ及び翻訳テーブルやＣＣ２４が実行するプログラムを記憶するフラッシュメモリを有する。ＭＣ２８は、上記翻訳テーブルを作成するための情報等を入力するコンソールである。ＶＭＳ３０は、ＣＣ２４の指示に従って、録音されている該当するメッセージ（発呼者の録音した音声を含む）を回線に出力すること、回線から入力された音声をＣＣ２４から指示される着呼端末の内線番号と共に記憶することの機能を有する。ＴＫ３１は、公衆回線を収容するトランク回路である。
【００１５】
図３は、図２中のＢＳＬＣ３６の構成図である。図３に示すように、ＢＳＬＣ３６は、ＭＵＸ／ＤＭＵＸ５０、ＡＤＰＣＭ／ＰＣＭ５２＃１〜５２＃３、レジスタ５４＃１，５４＃２、ＩＮＦ５６、ＣＴＬ５８、ＭＥＭ６０、ＣＴ６２、ＲＶ６４、ＤＶ６６及びＰＷ６８を有する。
【００１６】
ＭＵＸ／ＤＭＵＸ５０は、ＡＤＰＣＭ／ＰＣＭ５２＃ｉ（ｉ＝１〜３）より出力されるＰＣＭ信号を、割り当てられたタイムスロットに多重化して回線に出力及び回線中の割り当てられたタイムスロットからＰＣＭ信号を取り出して、該当するＡＤＰＣＭ／ＰＣＭ５２＃ｉ（ｉ＝１〜３）に出力する機能を有する。ＡＤＰＣＭ／ＰＣＭ５２＃ｉ（ｉ＝１〜３）は、ＰＳ４０がコーディングした３２ｋｂｐｓのＡＤＰＣＭ信号をＰＢＸ２０内で交換されるＰＣＭ信号に変換及びこの逆変換を行うコーディク信号対応部である。レジスタ５４＃１，５４＃２は、１ＰＳの通話に相当するＡＤＰＣＭ／ＰＣＭ部の３２ｋｂｐｓの信号２回線分を６４ｋｂｐｓに多重及びその逆変換を行うためのレジスタ部である。
【００１７】
ＩＮＦ５６は、ＣＣ２４とＣＴＬ５８間の通信を行うためのインタフェース部である。ＣＴＬ５８は、ＣＣ２４間で通信を行うことにより、ＢＳ３８を通して、ＰＳ４０の呼制御を行うプロセッサである。ＭＥＭ６８は、ＣＴＬ５８のメモリ部である。ＣＴ６２は、ＢＳ３８との間の回線を終端する回線終端部である。ＲＶ６４は、ＢＳ３８から出力される信号を受信するラインレシーバである。ＤＶ６６は、ＢＳ３８に信号を出力すると共に給電するラインドライバである。ＰＷ６８は、ＢＳ３８に対して、回線経由で給電を行う給電部である。
【００１８】
図４は、図２中のＢＳ３８の構成図である。図４に示すように、ＢＳ３８は、ＲＶ７０、ＤＶ７２、ＰＯＷ７４、ＣＴ７６、ＴＤＭＡ７８、ＣＴＬ８０、ＭＥＭ８２、ＭＤＭ８４及びアンテナ８７を有する。ＲＶ７０は、ラインレシーバである。ＤＶ７２は、ＰＢＸ２０に信号を出力するラインドライバである。ＰＯＷ７４は、ＲＶ７０よりＰＢＸ２０から給電された電源を内部電源に変換するＤＣ／ＤＣコンバータである。ＣＴ７６は、回線終端部である。
【００１９】
ＴＤＭＡ７８は、回線から受信した通信チャネルの情報とＣＴＬ８０より受信する制御情報を無線のフレームにフォーマットしてＭＤＭ８４に送出及びこの逆の処理を行う時分割多重処理部である。ＣＴＬ８０は、ＢＳ３８の制御を行うプロセッサである。ＭＥＭ８２は、ＣＴＬ８０のメモリ部である。ＭＤＭ８４は、π／４シフトＱＰＳＫの変調復調を行う変復調部である。ＲＦ８６は、無線送受信部である。８７はアンテナである。
【００２０】
図５は、ＢＳＬＣ３６とＢＳ３８間の回線上の信号形式を示す図である。図５に示すように、ＢＳＬＣ３６とＢＳ３８間は、Ｂチャネルが２個（Ｂ１，Ｂ２）とＤチャネルが１個により通信される。Ｂチャネルは、６４ｋｂｐｓであり、ＰＳ１個の３２ｋｂｐｓの通話チャネルが２個多重化される。Ｄチャネルは、１２ｋｂｐｓの制御チャネルである。
【００２１】
図６は、図２中のＰＳ４０の構成図である。図６に示すように、ＰＳ４０は、ＲＦ９０、アンテナ９１、ＰＯＷ９２、ＢＡＴＴ９４、ＭＤＭ９６、ＴＤＭＡ９８、ＣＴＬ１００、ＭＥＭ１０２、ＫＰ１０４、ＤＳＰ１０６、ＬＥＤ１０８、ＡＤＰＣＭ１１０、ＳＰ１１２、Ｒ１１４及びＭ１１６を有する。
【００２２】
ＲＦ９０は、無線送受信部である。９１は、アンテナである。ＰＯＷ９２は、ＢＡＴＴ９４から出力される電源電圧を内部の電圧に変換する電源部である。ＢＡＴＴ９４は、電池部である。ＭＤＭ９６は、π／４シフトＱＰＳＫの変復調をする無線の変復調部である。ＴＤＭＡ９８は、ＡＤＰＣＭ１１０から受信した受信した通信信号又はＣＴＬ１００より制御情報を無線のフレームにフォーマットして、ＭＤＭ９６に送出及びこの逆の処理を行う時分割多重処理部である。
【００２３】
ＣＴＬ１００は、呼制御等のＰＳ４０の制御を行うプロセッサである。図７は、本発明に係わるＣＴＬ１００の機能ブロック図である。図７に示すように、ＣＴＬ１００は、呼制御部１３０、ワンタッチダイヤル情報登録部１３２及び着信応答処理部１３４を有する。呼制御部１００は、ＴＤＭＡ９８を制御することにより、発着信の制御、呼切断時の無線チャネル切断処理を行う。
【００２４】
図８は、図７中のワンタッチダイヤル情報登録部１３２の機能ブロック図である。図８に示すように、ワンタッチダイヤル情報登録部１３２は、数字キー入力部１４０、ダイヤル情報入力部１４２及びテーブル登録部１４４を有する。
【００２５】
数字キー入力部１４０は、着信応答時に、図１２に示す保留キー１２６の押下及び内線番号や特番のダイヤル情報の入力をする代わりに、数字キー１２８の押下により該当するダイヤル情報をＰＢＸ２０に送出するために、図１１に示すワンタッチダイヤル情報テーブル１６４に数字キー（ダイヤル情報識別情報）とダイヤル情報の関係を登録するための数字キーを入力するものである。数字キー入力部１４０は、例えば、いずれのモードでないときに、登録キー１２２が押下された場合や所定の一連のキー入力操作が行われた場合に、ＤＳＰ１０６に数字キーの入力要求を行うメッセージを表示してから、数字キーの入力モードに入り、数字キーが押下されると、押下された数字キーに該当する文字をＤＳＰ１０６に出力する。尚、数字キーは「０」〜「９」のみならず、「＊」や「＃」であっても良い。
【００２６】
ダイヤル情報入力部１４２は、数字キーが入力されてから、例えば、登録キー１２２が押下されたとき、ＤＳＰ１０６にダイヤル番号の入力要求を行うメッセージを表示してから、ダイヤル情報の入力モードに入り、ダイヤル情報の各数字キーが押下される毎に押下された数字キーに該当する文字をＤＳＰ１０６に出力し、登録キー１２２が押下されたとき、ダイヤル情報の入力が完了したことを示すメッセージを表示すると共にテーブル登録部１４４に数字キーとダイヤル情報の対応関係をワンタッチダイヤル情報テーブル１６４に登録を指示する。
【００２７】
テーブル登録部１４４は、ダイヤル情報入力部１４２の指示に従って、入力された数字キーとダイヤル情報の対応関係を示す情報をワンタッチダイヤル情報テーブル１６４に登録する。
【００２８】
図９は、図７中の着信応答処理部１３４の機能ブロック図である。図９に示すように、着信応答処理部１３４は、数字キー押下検出部１５０、数字キー読出部１５２及び応答シーケンス処理部１５４を有する。数字キー押下検出部１５０は、着信時に数字キーが一定時間以上押下された時に、誤操作でなく数字キーが押下されたものと認識して、数字キー読出部１５２に押下された数字キーを通知する。
【００２９】
数字キー読出部１５２は、数字キーをインデックスとして、ワンタッチダイヤル情報テーブル１６４を検索して、対応するダイヤル情報を読み出す。応答シーケンス部１５４は、数字キー押下検出部１５０が数字キーの一定時間以上押下を検出すると、ＣＯＮＮメッセージをＴＤＭＡ７８を通してＢＳ３８に送出し、ＢＳ３８よりＣＯＮＮ  ＡＣＫメッセージを受信するとフッキング信号を送出してから読み出したダイヤル情報をＴＤＭＡ７８を通して、ＢＳ３８に送出する。尚、本実施形態では、ＰＢＸ２０側の要求に従って、ダイヤル情報を送出する前に必ずフッキング信号を送出している。
【００３０】
図１０は、図６中のＭＥＭ１０２の構成図である。図１０に示すように、ＭＥＭ１０２は、ＣＴＬ１００のワークメモリであるＲＡＭ１６０、ワンタッチダイヤル情報テーブル１６４やＣＴＬ１００が実行するプログラムを記憶するプログラムメモリ１６６からなるフラッシュメモリ１６２より構成される。
【００３１】
図１１は、図１０中のワンタッチダイヤル情報テーブル１６４の構成図である。図１１に示すように、ワンタッチダイヤル情報テーブル１６４は、数字キーをインデックスとする領域にダイヤル情報が記憶されている。
【００３２】
図１２は、図６中のＫＰ１０４の配列図である。図１１に示すように、ＫＰ１０４は、開始キー１２０、登録キー１２２、終了キー１２４、保留キー１２６及び数字キー１２８から成る。開始キー１２０は、発信する時に押下されると発呼制御され、着信時に押下されると、応答処理を行う。登録キー１２２は、ワンタッチダイヤル情報テーブル１６４にダイヤル情報を登録するためのキーである。終了キー１２４は、通話の終了を指示するキーである。保留キー１２６は、転送等の指示をするキーである。数字キー１２８は、「０」〜「９」の数字、「＊」及び「＃」から成り、数字キー、ダイヤル情報の入力及び着呼番号を入力する場合などに使用される。
【００３３】
ＤＳＰ１０６は、表示部である。ＬＥＤ１０８は、ランプ表示部である。ＡＤＰＣＭ１１０は、３２ｋｂｐｓの音声信号コーデック部である。ＳＰ１１２は、通話回路部である。Ｒ１１４は、レシーバ部である。Ｍ１１６は、マイク部である。
【００３４】
図１３は、ＢＳ３８とＰＳ４０間のエア上の信号形式を示す図である。図１３に示すように、ＰＳ４０からＢＳ３８に送信するための４個の上りタイムスロットＴ１〜Ｔ４とＢＳ３８からＰＳ４０に送信するための４個の下りタイムスロットＲ１〜Ｒ４が５ｍｓのフレームに収容される。それぞれ４個の上り・下りタイムスロットは、１個が制御チャネル、残りが通話チャネルに使用される。ＰＳ４０は、ＢＳ３８により割り当てられた通話チャネルを使用して、通信を行う。
【００３５】
以下、図２の事業所用ディジタルコードレスシステムの動作説明をする。
【００３６】
（１）  ＰＢＸ２０中のＭＭ２６に翻訳テーブルの登録
保守者は、ＭＣ２８より、収容する内線電話やＰＳ４０に関する情報、及び特番と特番に該当する機能を実施するための情報を入力する。ＣＣ２４は、ＭＣ２８より入力された情報に従って、翻訳テーブルに登録する。
【００３７】
（２）  ワンタッチダイヤル情報テーブル１６４へ登録
図１４は、ワンタッチダイヤル情報登録シーケンスを示す図である。ワンタッチダイヤル情報を登録する場合は、ステップＳ２において、ＰＳ４０の使用者により、登録キー１２２が押下される。ステップＳ４において、数字キー入力部１４０は、登録キー１２２が押下されたことを検出すると、数字キーの入力を要求するメッセージをＤＳＰ１０６に表示して、数字キー入力モードに入る。
【００３８】
ステップＳ６において、数字キー１２８の「０」が押下されたとする。ステップＳ８において、数字キー入力部１４０は、入力された数字キー「０」をワークエリアに格納すると共に数字キー「０」をＤＳＰ１０６に表示する。ステップＳ１０において、登録キー１２２が押下されたとする。ステップＳ１２において、ダイヤル情報入力部１４２は、ダイヤル情報の入力を要求するメッセージをＤＳＰ１０６に表示して、ダイヤル情報入力モードに入る。
【００３９】
ステップＳ１３において、「３」，「０」，「０」，「０」が順次押下されたとする。ステップＳ１４において、ダイヤル情報入力部１４２は、入力された数字キー「３」，「０」，「０」，「０」を順次、ワークエリアに格納すると共にＤＳＰ１０６に表示する。ステップＳ１６において、登録キー１２２が押下されたとする。
【００４０】
ステップＳ１８において、ダイヤル情報入力部１４２は、ダイヤル情報の入力が完了した旨をＤＳＰ１０６に表示すると共にテーブル登録部１４４に登録を指示する。テーブル登録部１４４は、入力された数字キー「０」をインデックスとして、ダイヤル情報「３０００」をワンタッチダイヤル情報テーブル１６４に登録する。以上のステップを登録したいダイヤル情報の個数だけ繰り返す。
【００４１】
図１５は、ワンタッチダイヤル情報テーブル１６４の構成例を示す図である。図１５に示すように、数字キー「０」，「１」，「２」，「３」をそれぞれインデックスとする領域に、ダイヤル情報「３０００」，「１８１」，「１８２」，「１８３」が登録される。尚、図１５中のダイヤル情報「３０００」は内線番号、「１８１」，「１８２」，「１８３」は特番を表す。
【００４２】
（３）  ＰＳ４０に着信があったとき、会議中等のために電話に出られず代理応答を依頼する場合
図１６は、図１０の着信応答処理部のフローチャートであり、図１７は、着信呼を他の人に転送し、対応してもらう場合の着信シーケンスチャートである。以下、これらの図を参照して、（３）の場合の着信動作説明をする。
【００４３】
図１７に示すように、例えば、公衆網３２に収容さる電話端末３４がオフフック（発呼）し、ＰＳ４０を指示するダイヤル番号を入力したとする。尚、電話端末３４は専用網に収容される場合でも良い。又、ＰＳ４０を特定する内線番号は、ダイヤルイン方式でも、局線中継台方式、ダイヤルイン方式のいずれの方式により指定しても良い。公衆網３２より、ＴＫ３１に着信されると共に発呼番号が送信される。
【００４４】
ＰＢＸ２０は、ＰＳ４０への着信が指定されると、位置登録テーブルを参照して、ＰＳ４０が位置するＢＳ３８に、ＰＳ４０への着信を指示するＳＥＴ  ＵＰメッセージを送出する。ＢＳ３８は、ＰＣＨを使用して、ＰＳ４０への着呼を報知する。ＰＳ４０は、ＢＳ３８へリンク確立要求メッセージを送出する。ＢＳ３８は、リンク確立要求メッセージを受信するとＰＳ４０にリンクチャネル（通話チャネル）を割当てる。
【００４５】
ＢＳ３８とＰＳ４０間で同期バースト信号の送受信を行って疎通確認をする。ＢＳ３８とＰＳ４０との間で、ＳＡＢＭメッセージ，ＵＡメッセージ、着呼応答メッセージ、発呼者に関する情報（例えばダイヤル番号）を含むＳＥＴＵＰメッセージの送受信、ＰＢＸ２０とＰＳ４０との間で、ＣＡＬＬ  ＰＲＯＣメセージの送受信、ＢＳ３８とＰＳ４０との間で、秘匿鍵設定メッセージ、認証要求メッセージ、認証応答メッセージの送受信、ＰＢＸ２０とＰＳ４０との間で、ＡＬＥＲＴメッセージの送受信を行って、所定の着呼シーケンス処理を行う。ＰＢＸ２０は、ＡＬＥＲＴメッセージを受信すると公衆網３２を通して、ＲＢＴを発呼者３４に返す。
【００４６】
ＰＳ４０中の呼制御部１３０は、リンガを鳴動すると共にＤＳＰ１０６に発呼者３４のダイヤル番号を表示する。ＰＳ４０の使用者は、表示されたダイヤル番号を見て、発呼者が大事な客等であるが会議中等のために出られないので、代理応答の依頼を決定して、数字キー「０」を一定時間以上押下したものとする。
【００４７】
図１６中のステップＳ２０において、数字キー押下検出部１５０は、開始キー１２０が押下されたか否かを判定する。開始キー１２０が押下されていれば、ステップＳ５２に進み、呼制御部１３０が応答処理を行う。開始キー１２０が押下されていなければ、ステップＳ２２に進む。ここでは、開始キー１２０が押下されないので、ステップＳ２２に進む。
【００４８】
ステップＳ２２において、数字キー押下検出部１５０は、数字キー１２８が押下されたか否かを判定する。数字キー１２８が押下されたならば、ステップＳ２４に進み、数字キー１２８が押下されていなければ、ステップＳ２０に戻る。こここでは、数字キー「０」が押下されたので、ステップＳ２４に進む。
【００４９】
ステップＳ２４において、数字キー押下検出部１５０は、タイマに時間Ｔを設定する。ステップＳ２６において、数字キー押下検出部１５０は、キースキャン周期Δｔが経過したかを判別する。キースキャン周期Δｔが経過したならば、ステップＳ２８に進み、キースキャン周期Δｔが経過していなければ、ステップＳ２６でウェイトする。
【００５０】
ステップＳ２８において、数字キー押下検出部１５０は、数字キー１２８が押下されているか否かを判別する。数字キー１２８が押下されていれば、ステップＳ３０に進み、数字キー１２８が押下されていなければ、ステップＳ２０に戻る。ここでは、数字キー「０」が一定時間以上押下されているので、ステップＳ３０に進む。
【００５１】
ステップＳ３０において、数字キー押下検出部１５０は、時間Ｔがタイムアウト（Ｔ＝０）したか否かを判別する。タイマＴがタイムアウト（Ｔ＝０）すると、数字キー１２８が押下されたものと判断して、ステップＳ４２に進み、タイマＴがタイムアウトしていなければ、ステップＳ３２に進む。ここでは、一定時間以上数字キー「０」が押下されたので、ステップＳ４２に進むことになる。ステップＳ３２において、数字キー押下検出部１５０は、ＴにＴ−Δｔを代入して、ステップＳ２６に戻る。
【００５２】
ステップＳ４２において、数字キー読出部１５２は、押下された数字キーをインディクスとして、ワンタッチダイヤル情報テーブル１６４を検索して、数字キーに該当するダイヤル情報を読み出す。ここでは、図１４に示すように、数字キー「０」に該当するダイヤル情報「３０００」が読み出される。
【００５３】
ステップＳ４４において、応答シーケンス処理部１５４は、ＴＤＭＡ９８にＣＯＮＮメッセージを送出するよう指示する。アンテナ９１よりＢＳ３８にＣＯＮＮメッセージが送出される。ＣＯＮＮメッセージは、ＢＳ３８を通して、ＰＢＸ２０で受信される。ＰＢＸ２０は、ＣＯＮＮメッセージを受信すると、ＣＯＮＮＡＣＫメッセージを、ＢＳ３８に送出すると共に発呼者３４へＲＢＴの送出停止をする。ＢＳ３８はＣＯＮＮ  ＡＣＫメッセージを受信すると、ＰＳ４０にＣＯＮＮ  ＡＣＫメッセージを送出する。
【００５４】
ステップＳ４６において、応答シーケンス処理部１５４は、ＣＯＮＮ  ＡＣＫメッセージを受信したか否かを判別する。ＣＯＮＮ  ＡＣＫメッセージを受信すると、ステップＳ４８に進み、ＣＯＮＮ  ＡＣＫメッセージを受信していなければ、ステップＳ４６でウェイトする。ステップＳ４８において、応答シーケンス処理部１５４は、ＴＤＭＡ９８にフッキング信号を送出するよう指示する。アンテナ９１よりＢＳ３８にフッキング信号が送出される。フッキング信号は、ＢＳ３８を通して、ＰＢＸ２０で受信される。ＰＢＸ２０は、公衆網３２を通して、保留音を発呼者３４に送出する。
【００５５】
ステップＳ４８において、応答シーケンス処理部１５４は、数字キー読出部１５２が読み出したダイヤル情報をＴＤＭＡ９８に送出するよう指示する。アンテナ９１よりＢＳ３８にダイヤル情報が送出される。ここでは、ダイヤル情報「３０００」が送出される。ダイヤル情報は、ＢＳ３８を通して、ＰＢＸ２０で受信される。ＰＢＸ２０は、翻訳テーブルを検索して、ダイヤル情報に該当する内線電話の呼び出し又はＶＭＳ３０に指示をする。
【００５６】
ここでは、ＰＢＸ２０は、ダイヤル情報が内線番号なので、内線番号３０００の電話端末３９を呼び出すと共にＢＳ３８を通してＰＳ４０にＲＢＴを送出する。内線番号３０００の電話端末３９が応答すると、ＰＢＸ２０は、ＢＳ３８を通してＰＳ４０へＲＢＴ送出を停止する。
【００５７】
ＰＳ４０の使用者は、内線３０００の電話端末３９にでた者との間で会話（代理応答を依頼する）を行う。それが終了すると、ＰＳ４０の使用者は、終了キー１２４を押下する。ＰＳ４０とＰＢＸ２０間で、ＤＩＳＣメッセージ、ＲＥＬメッセージ、ＲＥＬ  ＣＯＭＰメッセージの送受信を行う。ＢＳ３８は、ＰＳ４０に対して、無線チャネル切断要求を行い、ＰＳ４０は、ＢＳ３８に無線チャネル切断完了を通知する。
【００５８】
一方、発呼者と内線番号３０００の被転送者３９との間で会話が行われる。このように、ＰＳ４０の使用者は、保留キーの押下をしてから、ダイヤル情報の押下をしなくても、数字キーを押下する簡易操作だけで、被転送者に転送することができる。
【００５９】
（４）  ＰＳ４０に着信があったとき、会議中等のために、「現在電話に出られないため、後でこちらからかけ直す旨のメッセージ」をＶＭＳ３０から発呼者に聞かせる場合
図１８は、現在電話に出られないため、後でこちらからかけ直す旨のメッセージ」をＶＭＳ３０から発呼者に聞かせる場合の着信シーケンスチャートである。以下、この図を参照して、（４）の場合の着信動作説明をする。
【００６０】
図１８において、ＴＥＬ４４がオフフック＋ダイヤルされてからＰＳ４０よりＰＢＸ２０にＡＬＥＲＴメッセージが送出されるまでのシーケンスは、図１７におけるシーケンスと同一なので説明を省略する。ＰＳ４０がＡＬＥＲＴメッセージを送出すると、ＰＳ４０の使用者は、発呼者の電話番号を見て、数字キー「１」を一定時間以上押下したとする。
【００６１】
数字キー押下検出部１５０は、数字キー「１」が一定時間押下されたことを検出すると、数字キー読出部１５２に数字キー「１」に該当するダイヤル情報の読出しを指示する。数字キー読出部１５２は、数字キー「１」をインデックスとして、ワンタッチダイヤル情報テーブル１６４から該当するダイヤル情報「１８１」を読み出す。ＰＳ４０とＰＢＸ２０との間で、ＣＯＮＮメッセージ、ＣＯＮＮＡＣＫメッセージの送受信をすると、フッキング信号の送出、ダイヤル情報「１８１」の送出する。
【００６２】
フッキング信号及びダイヤル情報「１８１」は、ＢＳ３８を介して、ＰＢＸ２０中のＣＣに送信される。ＣＣ２４は、フッキング信号及びダイヤル情報「１８１」を受信すると、翻訳テーブルを検索して、ダイヤル情報「１８１」に対応する「現在電話に出られないため、後でこちらからかけ直す旨のメッセージ」をＶＭＳ３０から発呼者に聞かせるための情報（ＶＭＳ３０が収容される回線の情報及びＶＭＳ３０に記憶されている該当ガイダンス（１）の識別番号）を読み出す。
【００６３】
ＣＣ２４は、ＶＭＳ３０にガイダンス（１）の識別番号を出力すると共にＶＭＳ３０が収容される回線とＴＥＬ４４が収容される公衆網３２に接続される回線を接続するようＳＷ２２を制御する。ＣＣ２４は、ＢＳ３８を介して、ＰＳ４０にＤＩＳＣメッセージを出力する。
【００６４】
ＶＭＳ３０は、ＣＣ２４からガイダンス（１）の識別番号に該当するガイダンス（１）を回線に出力する。このガイダンス（１）が、ＳＷ２２によりスイッチングされて、ＴＥＬ４４に出力される。一方、ＣＣ２４は、ＶＭＳ３０からガイダンス（１）が出力されると、ＢＳ３８を通して、ＰＳ４０にサービストーンを送出する。
【００６５】
ＰＳ４０の使用者は、サービストーンが出力されると、終了キー１２４を押下する。ＰＳ４０とＰＢＸ２０との間で、ＲＥＬメッセージの送受信、ＲＥＬＣＯＭＰメッセージの送受信を行う。ＰＳ４０とＢＳ３８との間で、無線チャネル切断要求メッセージの送受信、無線チャネル切断メッセージの送受信を行う。
【００６６】
（５）  ＰＳ４０に着信があったとき、会議中等のために、「現在電話に出られないため、後でかけ直して欲しい旨のメッセージ」をＶＭＳ３０から発呼者に聞かせる場合
上記メッセージを出力する機能は、特番「１８２」に該当する。ワンタッチダイヤル情報テーブル１６４には、図１５に示すように、数字キー「２」に対応した特番「１８２」が登録されている。
【００６７】
図１９は、現在電話に出られないため、後でこちらからかけ直す旨のメッセージ」をＶＭＳ３０から発呼者に聞かせる場合の着信シーケンスチャートである。以下、この図を参照して、（５）の場合の着信動作説明をする。
【００６８】
ＰＳ４０にＴＥＬ４４から着信があったとき、数字キー「２」が押下される。数字キー「２」が押下されると特番「１８２」がワンタッチダイヤル情報テーブル１６４から読み出されて、ＰＳ４０からＰＢＸ２０に、ダイヤル「１８２」が送出される。ＰＢＸ２０は、ダイヤル「１８２」を受信すると、ＶＭＳ３０にガイダンス（２）を出力するよう指示する。ＶＭＳ３０は、上記指示に従って、ガイダンスを出力する。それ以外の点については、（４）と同じなので説明を省略する。
【００６９】
（６）  ＰＳ４０に着信があったとき、会議中等のために、「現在電話に出られないため、音声メールにメッセージを録音して欲しい旨のメッセージ」をＶＭＳ３０から発呼者に聞かせてから、発呼者のメッセージを録音する場合
上記メッセージを出力して、発呼者のメッセージを録音する機能は、特番「１８３」が該当する。ワンタッチダイヤル情報テーブル１６４には、図１５に示すように、数字キー「３」に対応した特番「１８３」が登録されている。
【００７０】
図２０は、現在電話に出られないため、「現在電話に出られないため、音声メールにメッセージを録音して欲しい旨のメッセージ」をＶＭＳ３０から発呼者に聞かせてから、発呼者のメッセージを録音する場合の着信シーケンスチャートである。以下、この図を参照して、（６）の場合の着信動作説明をする。
【００７１】
ＰＳ４０にＴＥＬ４４から着信があったとき、数字キー「３」が押下される。数字キー「３」が押下されると特番「１８３」がワンタッチダイヤル情報テーブル１６４から読み出されて、ＰＳ４０からＰＢＸ２０に、ダイヤル「１８３」が送出される。ＰＢＸ２０は、ダイヤル「１８３」を受信すると、ＶＭＳ３０にＰＳ４０へのメッセージを録音するよう指示する。
【００７２】
ＶＭＳ３０は、上記指示に従って、「現在電話に出られないため、音声メールにメッセージを録音して欲しい旨」のガイダンスを出力する。そして、発呼者４４からＰＳ４０へのメッセージをＰＳ４０の内線番号と共に記録する。それ以外の点については、（４）と同じなので説明を省略する。
【００７３】
ＶＭＳ３０に録音された上記メッセージは、ＰＳ４０の使用者が特番を押下すると、ＣＣ２４の指示に従ってＶＭＳ３０により読み出されて、ＰＢＸ２０からＢＳ３８を通して、ＰＳ４０に送信されて、ＰＳ４０から音声が出力される。
【００７４】
第２実施形態
図２１は、本発明の第２実施形態による着信応答処理部の機能ブロック図であり、図９中の構成要素と実質的に同一の要素には同一の符号を付している。着信応答処理部１７０中の数字キー押下検出部１７２は、ＰＳ４０に着信が有ったとき、数字キー１２８が一定時間以上でなくても一瞬でも押下されると、数字キー読出部１５２に押下された数字キーに該当するダイヤル情報の読み出しを指示するようにした点で図９中の数字キー押下検出部１５０と異なる。数字キー１２８が一定時間以上押下されることによりダイヤル情報を読み出すことが誤操作を防止できるが、その操作がかえって面倒であると考える使用者を考慮したためであるある。
【００７５】
図２２は、図２１の着信応答処理部１７０のフローチャートである。以下、この図を参照して、着信応答処理部１７０の動作説明をする。リンガが鳴動して、ＰＳ４０を呼出中のとき、ステップＳ２０において、数字キー押下検出部１７２は、開始キー１２０が押下されたか否かを判定する。開始キー１２０が押下されたならば、ステップＳ５２に進み、応答処理を行う。開始キー１２０が押下されなければ、ステップＳ２２に進む。
【００７６】
ステップＳ２２において、数字キー押下検出部１７２は、数字キー１２８が押下されたか否かを判定する。数字キー１２８が押下されると、ステップＳ４２に進む。数字キー１２８が押下されなければ、ステップＳ２０に戻る。このように、数字キー押下検出部１７２は、呼出中のとき、数字キー１２８が一瞬でも押下されると、ステップＳ４２へ進み、数字キー読出部１５２により数字キーに該当するダイヤル情報が読み出される。ステップＳ４２〜ステップＳ５０において、数字キー読出部１５２及び応答シーケンス処理部１５４は、図１６中のステップＳ４２〜ステップＳ５０と同様の処理を行う。
【００７７】
第３実施形態
図２３は、本発明の第３実施形態によるワンタッチダイヤル情報登録部の機能ブロック図であり、図８中の構成要素と実質的に同一の構成要素には同一の符号を付している。ダイヤル情報入力部１８２は、数字キーの入力が完了した後、保留キー１２６が押下されるとフッキングを指示するフッキングコードをワークメモリ１６０に書き込んだ後、ダイヤル情報を順次入力して、ワークメモリ１６０に書き込み、保留キー１２６が押下されずに、数字キー１２８が押下されるとダイヤル情報を順次入力して、ワークメモリ１６０に書き込む。
【００７８】
テーブル登録部１８４は、ワークメモリ１６０にフッキングコードが書き込まれていれば、ダイヤル情報と共にフッキングコードを、ワンタッチダイヤル情報テーブル１９０中の数字キーに対応するメモリエリアに登録する。
【００７９】
図２４は、本発明の第３実施形態による着信応答処理部の機能ブロック図であり、図９中の構成要素と実質的に同一の構成要素には同一の符号を付している。応答シーケンス処理部１５４は、数字キー読出部１５２が読み出したダイヤル情報にフッキングコードが付加されていれば、フッキング信号を送出してから、ダイヤル情報を送出し、フッキングコードが付加されていなければ、フッキング信号を送出せずに、ダイヤル情報のみを送出する。
【００８０】
これは、ＰＢＸ２０によっては、フッキング信号が必要な場合と不必要な場合があるから、それに合わせたものである。本実施形態では、フッキング信号が必要な場合として、内線電話に転送するとき、フッキング信号が不必要な場合として、ＶＭＳ３０等の特番サービスを提供するときである。
【００８１】
図２５は、ワンタッチダイヤル情報登録シーケンスの一例を示す図である。図２５に示すように、ステップＳ２〜ステップＳ１０において、数字キー入力部１４０は、図１４と同様にして数字キーを入力する。ステップＳ１２において、ダイヤル情報入力部１７２は、ＤＳＰ１０６にダイヤル情報及び必要な場合は保留キーの押下を指示するメッセージを表示する。
【００８２】
ステップＳ６０において、保留キー１２６が押下されたとする。ステップＳ６２において、ダイヤル情報入力部１７２は、保留キー１２６が押下されたので、フッキングコード（図２５中「Ｈ」で記す）をＤＳＰ１０６に表示すると共にワークメモリ１６０に書き込む。
【００８３】
ステップＳ６０に戻って、ダイヤル情報（「３０００」）が入力されると、ステップＳ６２において、ダイヤル情報入力部１７２は、ダイヤル情報「３０００」をＤＳＰ１０６に表示すると共にワークメモリ１６０に書き込む。ステップＳ１６において、終了キー１２４が押下さると、ステップＳ６４において、テーブル登録部１８４は、フッキングコードをダイヤル情報「３０００」の所定の位置、例えば先頭に付加して、ワンタッチダイヤル情報テーブル１９０中の数字キー「０」に該当するメモリエリアに登録する。一方、フッキングする必要のないサービスについては、数字キーとダイヤル情報のみが入力されて、ワンタッチダイヤル情報テーブル１９０に登録される。
【００８４】
図２６は、ワンタッチダイヤル情報テーブル１９０の構成例を示す図である。図２６に示すように、内線番号３０００の先頭にフッキングコードが付加されるが、特番１８１，１８２，１８３については、その先頭にフッキングコードが付加されない。このように、フッキングが必要な場合のみフッキングコードが付加される。
【００８５】
図２７は、図２４の着信応答処理部１７０の動作フローチャートである。以下、この図を参照して、着信応答処理部１７０の動作説明をする。リンガが鳴動して、ＰＳ４０が呼出中であったとき、ステップＳ２０において、数字キー押下検出部１５０は、開始キー１２０が押下されたか否かを判定する。
【００８６】
開始キー１２０が押下されたならば、ステップＳ５２に進み、応答処理を行う。開始キー１２０が押下されなければ、ステップＳ２２に進む。ステップＳ２２〜ステップＳ４０において、数字キー押下検出部１５０は、数字キー１２８が一定時間以上押下されたか否かを判定する。数字キー１２０が一定時間以上押下されたならば、ステップＳ７０に進む。数字キー１２０が一定時間以上押下されていなければ、ステップＳ２２又はステップＳ２６に戻る。
【００８７】
ステップＳ７０において、数字キー読出部１５２は、一定時間以上押下されたた数字キーに対応する情報がワンタッチダイヤル情報テーブル１９０より読み出される。このとき、フッキングコードが付加されていれば、フッキングコードがダイヤル情報と共に読み出される。ステップＳ４４において、ＢＳ３８を通して、ＣＯＮＮメッセージをＰＢＸ２０に送出する。ステップＳ４６において、ＣＯＮＮ  ＡＣＫメッセージの受信を確認する。
【００８８】
ステップＳ７２において、応答シーケンス処理部１９２は、読み出した情報にフッキング信号送出を指示するフッキングコードが有るか否かを判別する。フッキングコードが有れば、ステップＳ４８に進み、フッキングコードが無ければ、ステップＳ５０に進む。ステップＳ４８において、応答シーケンス処理部１９０は、フッキング信号の送出をＴＤＭＡ９８に指示する。フッキング信号は、アンテナ９１より、ＢＳ３８を通してＰＢＸ２０に送出される。ステップＳ５０において、ＢＳ３８を通して、読み出したダイヤル情報をＰＢＸ２０に送出する。
【００８９】
第４実施形態
図２８は、本発明の第４実施形態による着信応答処理部の機能ブロック図であり、図９中の構成要素と実質的に同一の構成要素には同一の符号を付している。本実施形態では、転送や特番サービスは、フッキング信号が無くてもダイヤル情報のみにより該当する転送サービスや特番サービスを提供するＰＢＸ２０の仕様に、着信応答処理部２００の処理を合致させたものである。応答シーケンス処理部２０２は、ＣＯＮＮ  ＡＣＫメッセージを受信すると、フッキング信号を送出せずに、数字キー読出部１５２が読み出したダイヤル情報をＢＳ３８を通してＰＢＸ２０に送出する点で図９中の着信応答処理部１５４と異なる。
【００９０】
図２９は、図２８の着信応答処理部の動作フローチャートである。以下、この図を参照して、着信応答処理部１９０の動作説明をする。リンガが鳴動して、ＰＳ４０が呼出中であったとき、ステップＳ２０において、数字キー押下検出部１５０は、開始キー１２０が押下されたか否かを判定する。
【００９１】
開始キー１２０が押下されたならば、ステップＳ５２に進み、応答処理を行う。開始キー１２０が押下されなければ、ステップＳ２２に進む。ステップＳ２２〜ステップＳ４０において、数字キー押下検出部１５０は、数字キー１２８が一定時間以上押下されたか否かを判定する。数字キー１２０が一定時間以上押下されたならば、ステップＳ７０に進む。数字キー１２０が一定時間以上押下されていなければ、ステップＳ２２又はステップＳ２６に戻る。
【００９２】
ステップＳ４２において、数字キー読出部１５２は、一定時間以上押下されたた数字キーに対応するダイヤル情報がワンタッチダイヤル情報テーブル１６４より読み出される。ステップＳ４４において、ＢＳ３８を通してＰＢＸ２０にＣＯＮＮメッセージを送出する。ステップＳ４６において、ＣＯＮＮ  ＡＣＫメッセージの受信を確認すると、ステップＳ５０に進む。ステップＳ５０において、応答シーケンス処理部２０２は、フッキング信号を送出せずに、読み出したダイヤル情報を送出する。
【００９３】
【発明の効果】
以上説明したように本発明によれば、ＰＳへの着信時に、相手番号により、簡易操作で様々な応答ができる。
【図面の簡単な説明】
【図１】本発明の原理図である。
【図２】本発明の実施形態の事業所用ディジタルコードレスシステム構成図である。
【図３】図２中のＢＳＬＣ構成図である。
【図４】図２中のＢＳ構成図である。
【図５】ＢＳＬＣとＢＳ間の回線上の信号形式を示す図である。
【図６】図２中のＰＳ構成図である。
【図７】本発明に係わるＣＴＬの機能ブロック図である。
【図８】図７中のワンタッチダイヤル情報登録部の機能ブロック図である。
【図９】図７中の着信応答処理部の機能ブロック図である。
【図１０】図６中のＭＥＭ構成図である。
【図１１】図１０中のワンタッチダイヤル情報テーブル構成図である。
【図１２】図６中のＫＰ概観図である。
【図１３】ＢＳとＰＳ間のエア上の信号形式を示す図である。
【図１４】ワンタッチダイヤル情報登録シーケンスを示す図である。
【図１５】ワンタッチダイヤル情報テーブル構成例を示す図である。
【図１６】図１０の着信応答処理部のフローチャートである。
【図１７】着信シーケンスチャートである。
【図１８】着信シーケンスチャートである。
【図１９】着信シーケンスチャートである。
【図２０】着信シーケンスチャートである。
【図２１】本発明の第２実施形態による着信応答処理部の機能ブロック図である。
【図２２】図２１の着信応答処理部のフローチャートである。
【図２３】本発明の第３実施形態によるワンタッチダイヤル情報登録部の機能ブロック図である。
【図２４】本発明の第３実施形態による着信応答処理部の機能ブロック図である。
【図２５】ワンタッチダイヤル情報登録シーケンスを示す図である。
【図２６】ワンタッチダイヤル情報テーブルの構成例を示す図である。
【図２７】図２４の着信応答処理部のフローチャートである。
【図２８】本発明の第４実施形態による着信応答処理部の機能ブロック図である。
【図２９】図２８の着信応答処理部のフローチャートである。
【符号の説明】
２  ＢＳ
４  内線電話
６  ＰＢＸ
８  ＰＳ
９  キー
１０  キー部
１１  テーブル
１２  ダイヤル識別情報入力手段
１３  ダイヤル情報入力手段
１４  登録手段
１５  応答手段
１６  押下検出手段
１７  ダイヤル情報読出手段
１８  応答シーケンス処理手段
【図１】
0004247329.tif 000002
【図２】
0004247329.tif 000003
【図３】
0004247329.tif 000004
【図４】
0004247329.tif 000005
【図５】
0004247329.tif 000006
【図６】
0004247329.tif 000007
【図７】
0004247329.tif 000008
【図８】
0004247329.tif 000009
【図９】
0004247329.tif 000010
【図１０】
0004247329.tif 000011
【図１１】
0004247329.tif 000012
【図１２】
0004247329.tif 000013
【図１３】
0004247329.tif 000014
【図１４】
0004247329.tif 000015
【図１５】
0004247329.tif 000016
【図１６】
0004247329.tif 000017
【図１７】
0004247329.tif 000018
【図１８】
0004247329.tif 000019
【図１９】
0004247329.tif 000020
【図２０】
0004247329.tif 000021
【図２１】
0004247329.tif 000022
【図２２】
0004247329.tif 000023
【図２３】
0004247329.tif 000024
【図２４】
0004247329.tif 000025
【図２５】
0004247329.tif 000026
【図２６】
0004247329.tif 000027
【図２７】
0004247329.tif 000028
【図２８】
0004247329.tif 000029
【図２９】
0004247329.tif 000030